(57)【要約】【課題】商品サンプルの本来の色を損なうことがなく、任意の有彩色の発光により商品サンプルの展示効果を向上させることのできる自動販売機の商品サンプル照明装置を提供する。【解決手段】各商品サンプル３３の外部近傍に配置した第２の発光体４４を複数の有彩色のうち任意の色で発光させるようにしたので、従来のように白色の蛍光灯のみで照明するものに比べ、各商品サンプル３３の展示効果を格段に向上させることができ、集客効果を高めることができる。この場合、各商品サンプル３３の内側に配置した第１の発光体４３を白色で発光させるようにしたので、商品サンプル３３の本来の色を損なうことがなく、商品イメージの低下を確実に防止することができる。【選択図】図３
2008129997.tif 000002
【特許請求の範囲】
【請求項１】
自動販売機本体の前面に設けられた外扉と、外扉の前面に設けられた商品サンプル表示部と、商品サンプル表示部に配置された複数の光透過性の商品サンプルとを備えた自動販売機に設けられ、商品サンプル表示部の商品サンプルを照明する自動販売機の商品サンプル照明装置おいて、
前記商品サンプルを白色光によって照明する第１の発光体と、
商品サンプルの外部近傍に配置され、複数の有彩色のうち任意の色で発光可能な第２の発光体とを備えた
ことを特徴とする自動販売機の商品サンプル照明装置。
【請求項２】
前記第２の発光体を所定時間おきに発光色が変化するように発光させる制御手段を備えた
ことを特徴とする請求項１記載の自動販売機の商品サンプル照明装置。
【請求項３】
複数の商品サンプルにそれぞれ対応するように設けられた複数の第２の発光体のうち、任意の商品サンプルに対応する第２の発光体のみを発光させる制御手段を備えた
ことを特徴とする請求項１または２記載の自動販売機の商品サンプル照明装置。
【請求項４】
複数の商品サンプルにそれぞれ対応するように設けられた複数の第２の発光体のうち、コールド商品の商品サンプルに対応する第２の発光体を冷色系で発光させ、ホット商品の商品サンプルに対応する第２の発光体を暖色系で発光させる制御手段を備えた
ことを特徴とする請求項１、２または３記載の自動販売機の商品サンプル照明装置。
【請求項５】
前記商品サンプルが取付けられる取付部を有するとともに、第１の発光体及び第２の発光体が設けられた透明な照明ケースを備え、
照明ケースを商品サンプル表示部に着脱自在に設けた
ことを特徴とする請求項１、２、３または４記載の自動販売機の商品サンプル照明装置。
【請求項６】
前記照明ケースに第２の発光体の光を拡散させる光拡散部を設けた
ことを特徴とする請求項５記載の自動販売機の商品サンプル照明装置。
【請求項７】
所定の異常動作を自動販売機に対する不正行為として検知する異常動作検知手段と、
異常動作検知手段によって所定の異常動作が検知されると、第２の発光体を赤色系で発光させる制御手段とを備えた
ことを特徴とする請求項１、２、３、４、５または６記載の自動販売機の商品サンプル照明装置。
【発明の詳細な説明】
【技術分野】
【０００１】
本発明は、例えばビン、缶またはペットボトル入り飲料等の商品を販売する自動販売機の商品サンプル照明装置に関するものである。
【背景技術】
【０００２】
従来、この種の自動販売機としては、自動販売機本体の前面に設けられた外扉と、外扉の前面に設けられた商品サンプル表示部と、商品サンプル表示部に配置された複数の商品サンプルとを備え、各商品サンプルに光を照射することにより、各商品サンプルを照明するようにしたものが一般的である。
【０００３】
前記自動販売機では、蛍光灯等によって各商品サンプルを照明するようにしているが、単に各商品サンプルを照明するだけでは十分な展示効果を得ることができず、集客効果を高めることができなかった。
【０００４】
そこで、各商品サンプルに照射する光を赤色、青色、緑色等に変化させることにより、各商品サンプルの全体や特定の商品サンプルを目立たせて展示効果を高めるようにしたものが知られている（例えば、特許文献１参照。）。
【特許文献１】特開２００３−２２８７５６号公報
【発明の開示】
【発明が解決しようとする課題】
【０００５】
しかしながら、前述のように商品サンプルを白色以外の有彩色で照明すると、商品サンプルの本来の色が損なわれ、商品イメージを低下させるという問題点があった。
【０００６】
本発明は前記問題点に鑑みてなされたものであり、その目的とするところは、商品サンプルの本来の色を損なうことがなく、任意の有彩色の発光により商品サンプルの展示効果を向上させることのできる自動販売機の商品サンプル照明装置を提供することにある。
【課題を解決するための手段】
【０００７】
本発明は前記目的を達成するために、自動販売機本体の前面に設けられた外扉と、外扉の前面に設けられた商品サンプル表示部と、商品サンプル表示部に配置された複数の光透過性の商品サンプルとを備えた自動販売機に設けられ、商品サンプル表示部の商品サンプルを照明する自動販売機の商品サンプル照明装置おいて、前記商品サンプルを白色光によって照明する第１の発光体と、商品サンプルの外部近傍に配置され、複数の有彩色のうち任意の色で発光可能な第２の発光体とを備えている。
【０００８】
これにより、商品サンプルの外部近傍に配置された第２の発光体を複数の有彩色のうち任意の色で発光させることにより、従来のように白色の蛍光灯のみで照明するものに比べ、商品サンプルの展示効果が向上する。この場合、商品サンプルが第１の発光体の白色光によって照明されることから、商品サンプルの本来の色が損なわれることがない。
【発明の効果】
【０００９】
本発明によれば、従来のように白色の蛍光灯のみで照明するものに比べ、任意の有彩色の発光により、商品サンプルの展示効果を向上させることができるので、集客効果を高めることができる。この場合、商品サンプルが白色光によって照明されることから、商品サンプルの本来の色を損なうことがなく、商品イメージの低下を確実に防止することができる。
【発明を実施するための最良の形態】
【００１０】
図１乃至図７は本発明の第１の実施形態を示すもので、図１は商品サンプル照明装置を備えた自動販売機の全体斜視図、図２は商品サンプル照明装置の部分斜視図、図３はその部分正面図、図４はその側面断面図、図５は照明ケースの部分側面断面図、図６は制御系を示すブロック図、図７は制御部の動作を示すフローチャートである。
【００１１】
この自動販売機は、商品を収納する自動販売機本体１０と、自動販売機本体１０の前面に設けられた外扉２０と、外扉２０の前面に設けられた商品サンプル表示部３０とを備え、商品サンプル表示部３０には商品サンプル照明装置４０が設けられている。
【００１２】
自動販売機本体１０は内部に商品収納庫（図示せず）を備え、商品収納庫内には、例えばサーペンタイン式の商品コラム（図示せず）が設けられている。
【００１３】
外扉２０は幅方向一端側を自動販売機本体１０に回動自在に支持され、その前面には商品選択スイッチ２１、硬貨投入口２２、紙幣投入口２３、金額表示部２４、硬貨返却口２５、硬貨返却レバー２６及び商品取出口２７が設けられている。また、外扉２０の背面側には硬貨投入口２２から投入された硬貨を処理する硬貨処理装置２８が設けられている（図１では図示省略）。
【００１４】
商品サンプル表示部３０は、外扉２０内に設けられたサンプル室３１と、サンプル室３１内に上下複数段に設けられたサンプル台３２と、商品サンプル照明装置４０に取付けられる複数の商品サンプル３３とを備え、サンプル台３２には商品サンプル照明装置４０が取付けられる。サンプル室３１の前面は透明パネル３１ａによって覆われており、透明パネル３１ａには商品選択スイッチ２１が取付けられている。サンプル台３２は前面が斜め上方を臨むように後方に傾斜したサンプル配置面３２ａを有し、サンプル室３１の背面板３１ｂに固定されている。サンプル台３２の前端下部には冷温表示板３４を保持する保持部３２ｂが設けられ、冷温表示板３４の表面と裏面にはそれぞれコールド商品及びホット商品を表す文字及び色が表示されている。各商品サンプル３３は、例えば缶入り飲料の形状を有し、背面側及び下面側の一部を開口した光透過性の樹脂によって中空状に形成されている。また、商品サンプル３３の下端には商品サンプル照明装置４０に取付けるための取付部材３３ａが設けられている。
【００１５】
商品サンプル照明装置４０は、複数の商品サンプル３３を保持する照明ケース４１と、照明ケース４１の背面側に設けられた基板４２と、基板４２に取付けられた第１及び第２の発光体４３，４４とを備え、照明ケース４１はサンプル台３２のサンプル配置面３２ａに斜め上方を臨むように固定されている。照明ケース４１は薄型の箱状に形成された透明のアクリルからなり、その前面には商品サンプル３３の取付部をなす開口部４１ａが設けられている。即ち、商品サンプル３３の取付部材３３ａを開口部４１ａの下端縁に係合することにより、商品サンプル３３が着脱自在に取付けられるようになっている。照明ケース４１の前面内側には、図４に示すように多数のプリズムからなる光拡散部４１ｂが設けられ、光拡散部４１ｂは照明ケース４１のほぼ前面側全体に亘って形成されている。第１の発光体４３は白色で発光する周知のＬＥＤからなり、各商品サンプル３３の内側（背面側）に位置するように基板４２に上下二箇所ずつ設けられている。第２の発光体４４は赤色、緑色、青色等、複数の有彩色の発光が可能な周知のＲＧＢＬＥＤからなり、各商品サンプルの外部近傍（幅方向両側）に位置するように基板４２に上下二箇所ずつ設けられている。
【００１６】
また、商品サンプル照明装置４０は、各第１及び第２の発光体４３，４４を制御する制御部４５を備え、制御部４５には各第１及び第２の発光体４３，４４がそれぞれ駆動回路４３ａ，４４ａを介して接続されている。また、制御部４５には、各第２の発光体４４の発光動作モード等を設定するための設定操作部４６が接続されている。
【００１７】
制御部４５では、第２の発光体４４の発光色を所定時間ごとに変化させる電飾モードと、第２の発光体４４の発光色を商品の冷温表示に応じた色で発光させる冷温表示モードとを任意に選択できるようになっている。即ち、電飾モードでは、例えば各第２の発光体４４を「赤色」→「青色」→「緑色」→「赤色」…の順で所定時間ずつ発光させる。この場合、全ての第２の発光体４４の発光色が同時に変化するようにしたり、或いは一部の第２の発光体４４の発光色が他の第２の発光体４４の発光色と異なった色に変化するようにしてもよい。また、制御部４５では、設定操作部４６の設定により、例えばキャンペーン商品のように任意の商品サンプル３３に対応する第２の発光体４４のみを発光させるように設定することが可能になっている。冷温表示モードでは、コールド商品に設定されている商品サンプル３３の第２の発光体４４を「青色」で発光させ、ホット商品に設定されている商品サンプル３３の第２の発光体４４を「赤色」で発光させるようになっている。
【００１８】
また、制御部４５には、硬貨処理装置２８と、自動販売機本体１０に加わる振動を検知する振動センサ４７が接続され、制御部４５は、硬貨処理装置２８または振動センサ４７の信号に基づき、所定の異常動作を自動販売機に対する不正行為として検知する異常動作検知手段を含む。即ち、偽造硬貨を投入し、硬貨返却レバー２６を操作して真正硬貨を返却させる不正行為に対しては、硬貨の投入及び返却が所定回数以上連続して繰り返されると、異常動作として検知するようになっている。また、自動販売機を破壊する不正行為に対しては、振動センサ４７によって所定の大きさ以上の振動が検知されると、異常動作として検知するようになっている。
【００１９】
ここで、制御部４５の動作について、図７のフローチャートを参照して説明する。まず、各第１の発光体４３を発光させるとともに（Ｓ１）、電飾モードに設定されている場合は（Ｓ２）、前述の電飾モードで第２の発光体４４を発光させ（Ｓ３）、冷温表示モードに設定されている場合は（Ｓ４）、前述の冷温表示モードで第２の発光体４４を発光させる（Ｓ５）。また、電飾モード及び冷温表示モードの何れにも設定されていない場合は、第２の発光体４４を発光させない（Ｓ６）。ここで、前記所定の異常動作が検知された場合は（Ｓ７）、全ての第２の発光体４４を「赤色」で点灯または点滅させ（Ｓ８）、所定時間（例えば５分）が経過すると（Ｓ９）、赤色の発光を解除し（Ｓ１０）、ステップＳ２に戻る。
【００２０】
このように、本実施形態の商品サンプル照明装置４０によれば、各商品サンプル３３の外部近傍に配置した第２の発光体４４を複数の有彩色のうち任意の色で発光させるようにしたので、従来のように白色の蛍光灯のみで照明するものに比べ、各商品サンプル３３の展示効果を格段に向上させることができ、集客効果を高めることができる。この場合、各商品サンプル３３の内側に配置した第１の発光体４３を白色で発光させるようにしたので、商品サンプル３３の本来の色を損なうことがなく、商品イメージの低下を確実に防止することができる。
【００２１】
また、電飾モードにすることにより、第２の発光体４４の発光色を所定時間おきに他の色に変化させるようにしたので、電飾効果により利用者の注意をひくことができ、集客効果をより高めることができる。
【００２２】
この場合、任意の商品サンプル３３に対応する第２の発光体４４のみを発光可能にしたので、例えばキャンペーン商品を第２の発光体４４によって目立たせるようにすれば、キャンペーン商品の売り上げ向上に効果的である。
【００２３】
また、冷温表示モードにすることにより、コールド商品の商品サンプル３３に対応する第２の発光体４４を冷色系の「青色」で発光させ、ホット商品の商品サンプル３３に対応する第２の発光体４４を暖色系の「赤色」で発光させるようにしたので、コールド商品及びホット商品の判別が容易になるとともに、第２の発光体４４の発光による電飾効果も得ることができる。
【００２４】
更に、第１の発光体４３、第２の発光体４４及び商品サンプル取付用の開口部４１ａを有する照明ケース４１を備え、照明ケース４１をサンプル台３２のサンプル配置面３２ａに取付けるようにしたので、例えばサンプル配置面３２ａに商品サンプル３３を直接取付けるようにした既存の自動販売機にも照明ケース４１を取付けることができ、汎用性の向上を図ることができる。
【００２５】
この場合、照明ケース４１を透明に形成するとともに、照明ケース４１の前面側に設けた光拡散部４１ｂの背面側に第２の発光体４４を配置したので、第２の発光体４４の光を光拡散部４１ｂにより拡散させ、照明ケース４１の前面全体が光るようにすることができ、照明効果を高めることができる。
【００２６】
また、所定の異常動作を自動販売機に対する不正行為として検知すると、各第２の発光体４４を「赤色」で発光させるようにしたので、不正行為者を「赤色」の発光によって威嚇することができ、不正行為の抑止に効果的である。
【００２７】
図８乃至図１１は本発明の第２の実施形態を示すもので、図８及び図９は商品サンプル照明装置の斜視図、図１０はその正面図、図１１はその側面断面図である。尚、前記実施形態と同様の構成部分には同一の符号を付して示す。
【００２８】
本実施形態では、自動販売機のサンプル台３２に商品サンプル取付用の複数の開口部３２ｃが設けられており、開口部３２ｃには商品サンプル３３が取付部材３３ａによって着脱自在に取付けられている。また、サンプル台３２の内側には蛍光灯３５が設けられている。
【００２９】
本実施形態の商品サンプル照明装置５０は、商品サンプル３３を保持する照明ケース５１と、照明ケース５１の背面側に設けられた基板５２と、基板５２に取付けられた第１及び第２の発光体５３，５４とを備え、照明ケース５１はサンプル台３２のサンプル配置面３２ａに斜め上方を臨むように着脱自在に取付けられる。照明ケース５１は第１の実施形態と同様、薄型の箱状に形成された透明のアクリルからなり、商品サンプル取付用の開口部５１ａと光拡散部５１ｂを有している。また、照明ケース５１の背面にはサンプル台３２に取付けるための取付部５１ｃが設けられ、取付部５１ｃをサンプル台３２の開口部３２ｃの下端縁に係合することにより、照明ケース５１がサンプル台３２に着脱自在に取付けられるようになっている。また、第１の実施形態と同様、第１の発光体５３は白色で発光する周知のＬＥＤからなり、各商品サンプル３３の内側（背面側）に位置するように基板５２に上下二箇所ずつ設けられている。第２の発光体５４は赤色、緑色、青色等、複数の有彩色の発光が可能な周知のＲＧＢＬＥＤからなり、各商品サンプルの外部近傍（幅方向両側）に位置するように基板５２に上下二箇所ずつ設けられている。
【００３０】
本実施形態では、サンプル台３２に取付けられた商品サンプル３３のうち任意の商品サンプル３３を取外し、その商品サンプル３３が取付けられていた開口部３２ｃに商品サンプル照明装置５０の照明ケース５１を取付け、照明ケース５１の開口部５１ａに商品サンプル３３を取付けることにより、その商品サンプル３３のみを商品サンプル照明装置５０によって照明することができる。これにより、例えばキャンペーン商品等の任意の商品を目立たせることができるとともに、商品サンプル３３ごとに照明ケース５１を取付けることができるので、既存の自動販売機に用いる場合に極めて有利である。また、サンプル台３２に直接取付けられた他の商品サンプル３３は、サンプル台３２の開口部３２ｃを介して蛍光灯３５の光によって照明される。
【００３１】
尚、第２の実施形態おける第１及び第２の発光体５３，５４の発光動作及び異常動作検知時の制御部４５の動作については第１の実施形態と同様である。また、第２の実施形態では、一つの商品サンプル３３が取付けられる照明ケース５１を備えたものを示したが、例えば第１の実施形態のようにサンプル台３２の一列の商品サンプル全てが取付けられる照明ケースを第２の実施形態と同様の構造によりサンプル台３２に着脱自在に取付けるようにしてもよい。
【００３２】
図１２乃至図１４は本発明の第３の実施形態を示すもので、図１２は本発明の商品サンプル照明装置を備えた自動販売機の全体斜視図、図１３は商品サンプル照明装置の斜視図、図１４はその側面断面図である。尚、前記実施形態と同様の構成部分には同一の符号を付して示す。
【００３３】
同図に示す自動販売機は、商品を収納する自動販売機本体６０と、自動販売機本体６０の前面に設けられた外扉７０と、外扉７０の前面に設けられた複数の商品サンプル表示部８０とを備え、各商品サンプル表示部８０にはそれぞれ商品サンプル照明装置９０が設けられている。
【００３４】
自動販売機本体６０は、第１の実施形態と同様、内部に商品収納庫（図示せず）を備え、商品収納庫内には、例えばサーペンタイン式の商品コラム（図示せず）が設置されている。
【００３５】
外扉７０は幅方向一端を自動販売機本体６０に回動自在に支持され、その前面には商品選択スイッチ７１、硬貨投入口７２、紙幣投入口７３、金額表示部７４、硬貨返却口７５、硬貨返却レバー７６及び商品取出口７７が設けられている。
【００３６】
各商品サンプル表示部８０は外扉７０の上下方向及び左右方向に複数ずつ配列され、それぞれ透明パネル８０ａによって内部が透視可能になっている。各商品サンプル表示部８０内にはそれぞれ商品サンプル３３が配置され、各商品サンプル表示部８０の下方には商品選択スイッチ７１が配置されている。また、商品サンプル表示部８０の背面側上部及び下部には、商品サンプル照明装置９０を取付けるための取付部８１，８２がそれぞれ設けられている。
【００３７】
商品サンプル照明装置９０は、内部に商品サンプル３３が配置される照明ケース９１と、照明ケース９１の背面側に取付けられた第１及び第２の発光体９２，９３とを備え、照明ケース９１は商品サンプル表示部８０の背面側に着脱自在に取付けられる。照明ケース９１は前面を開口した箱状の透明のアクリルからなり、その内部には商品サンプル３３が取付けられる取付部９１ａが設けられている。即ち、商品サンプル３３の取付部材３３ｂを取付部９１ａの先端部に係合することにより、商品サンプル３３が着脱自在に取付けられるようになっている。照明ケース９１の背面には、第１の実施形態と同様の光拡散部９１ｂが設けられ、光拡散部９１ｂは照明ケース９１のほぼ背面側全体に亘って形成されている。また、照明ケース９１の前面側上部及び下部には、商品サンプル表示部８０の各取付部８１，８２にそれぞれ係止可能な係止片９１ｃ，９１ｄが設けられ、各係止片９１ｃ，９１ｄを各取付部８１，８２に係止することにより、照明ケース９１が商品サンプル表示部８０に着脱自在に取付けられるようになっている。第１の実施形態と同様、第１の発光体９２は白色で発光する周知のＬＥＤからなり、各商品サンプル３３の内側（背面側）に位置するように照明ケース９１の背面内側に上下二箇所ずつ設けられている。第２の発光体９３は赤色、緑色、青色等、複数の有彩色の発光が可能な周知のＲＧＢＬＥＤからなり、各商品サンプルの外部近傍（幅方向両側）に位置するように照明ケース９１の背面外側に上下二箇所ずつ設けられている。
【００３８】
本実施形態の商品サンプル照明装置９０では、各商品サンプル表示部８０ごとに着脱自在に設けられた照明ケース９１内に商品サンプル３３を配置し、商品サンプル３３の外部近傍に配置した第２の発光体９３を複数の有彩色のうち任意の色で発光させるようにしたので、第１の実施形態と同様、第２の発光体９３の電飾により、商品サンプル３３の展示効果を格段に向上させることができ、集客効果を高めることができる。この場合、各商品サンプル３３の内側に配置した第１の発光体９２を白色で発光させるようにしたので、第１の実施形態と同様、商品サンプル３３の本来の色を損なうことがなく、商品イメージの低下を確実に防止することができる。
【００３９】
尚、第３の実施形態おける第１及び第２の発光体５３，５４の発光動作及び異常動作検知時の制御部４５の動作については第１の実施形態と同様である。また、一部の商品サンプル表示部８０には、商品サンプル照明装置９０に代えて、商品の図柄等が印刷されたフレーバを各取付部８１，８２に係止して取付けることも可能である。
【図面の簡単な説明】
【００４０】
【図１】本発明の第１の実施形態を示す商品サンプル照明装置を備えた自動販売機の全体斜視図
【図２】商品サンプル照明装置の部分斜視図
【図３】商品サンプル照明装置の部分正面図
【図４】商品サンプル照明装置の側面断面図
【図５】照明ケースの部分側面断面図
【図６】制御系を示すブロック図
【図７】制御部の動作を示すフローチャート
【図８】本発明の第２の実施形態を示す商品サンプル照明装置の斜視図
【図９】商品サンプル照明装置の斜視図
【図１０】商品サンプル照明装置の正面図
【図１１】商品サンプル照明装置の側面断面図
【図１２】本発明の第３の実施形態を示す商品サンプル照明装置を備えた自動販売機の全体斜視図
【図１３】商品サンプル照明装置の斜視図
【図１４】商品サンプル照明装置の側面断面図
【符号の説明】
【００４１】
１０…自動販売機本体、２０…外扉、３０…商品サンプル表示部、３３…商品サンプル、４０…商品サンプル照明装置、４１…照明ケース、４１ｂ…光拡散部、４２…基板、４３…第１の発光体、４４…第２の発光体、４５…制御部、５０…商品サンプル照明装置、５１…照明ケース、５１ｂ…光拡散部、５２…基板、５３…第１の発光体、５４…第２の発光体、６０…自動販売機本体、７０…外扉、８０…商品サンプル表示部、９０…商品サンプル照明装置、９１…照明ケース、９１ｂ…光拡散部、９２…第１の発光体、９３…第２の発光体。
【図１】
2008129997.tif 000003
【図２】
2008129997.tif 000004
【図３】
2008129997.tif 000005
【図４】
2008129997.tif 000006
【図５】
2008129997.tif 000007
【図６】
2008129997.tif 000008
【図７】
2008129997.tif 000009
【図８】
2008129997.tif 000010
【図９】
2008129997.tif 000011
【図１０】
2008129997.tif 000012
【図１１】
2008129997.tif 000013
【図１２】
2008129997.tif 000014
【図１３】
2008129997.tif 000015
【図１４】
2008129997.tif 000016